(57)【要約】  【課題】液晶セルの透過率が高く、なおかつ色再現性にも優れた液晶テレビジョン装置を低コストで実現する。  【解決手段】受信した映像信号を再生する信号処理部２６と、信号処理部２６で再生された映像を表示する液晶セル１２と、液晶セル１２の背面側に配設され、当該セルを照射するバックライト用光源５１、５２と、液晶セル１２を駆動するドライバ３１〜３７と、バックライト用光源５１、５２を駆動するインバータ２９とを備えた液晶テレビジョン装置において、液晶セル１２として色純度が４０％〜６０％の低色純度のセルを用いることで、液晶セル１２の透過率をアップする。また、信号処理部２６に色補正回路２４を設け、映像信号に対して色補正処理を行うことにより、低色純度に基因して映像の色再現性が低下するのを回避する。【選択図】  図３
2005333611.tif 000002
【特許請求の範囲】
【請求項１】
受信した映像信号を再生するための信号処理部と、
前記信号処理部で再生された映像を表示する液晶セルと、
前記液晶セルの背面側に配設され、当該セルを照射するバックライト用光源と、
前記液晶セルと前記バックライト用光源との間に設けられ、前記光源から発する光を前方へ導く光学部材と、
前記液晶セルを駆動する第１の駆動回路と、
前記バックライト用光源を駆動する第２の駆動回路と、
を備えた液晶テレビジョン装置において、
前記液晶セルは、４０％〜６０％の範囲の色純度を有するセルから構成されており、
前記信号処理部は、前記液晶セルに表示される映像の色再現性を向上させるための色補正回路を備えていることを特徴とする液晶テレビジョン装置。
【請求項２】
請求項１に記載の液晶テレビジョン装置において、
前記液晶セルは、ＶＧＡ（Video Graphics Array）液晶セルからなり、透過率が少なくとも１０％であることを特徴とする液晶テレビジョン装置。
【請求項３】
請求項１に記載の液晶テレビジョン装置において、
前記液晶セルは、ＸＧＡ（Extended Graphics Array）液晶セルからなり、透過率が少なくとも７％であることを特徴とする液晶テレビジョン装置。
【請求項４】
請求項１に記載の液晶テレビジョン装置において、
前記バックライト用光源は、Ｕ形の１対の冷陰極管からなることを特徴とする液晶テレビジョン装置。
【請求項５】
請求項１に記載の液晶テレビジョン装置において、
前記光学部材が、前記液晶セル側に設けられる拡散シート、および前記バックライト用光源側に設けられる拡散板のみからなることを特徴とする液晶テレビジョン装置。
【請求項６】
請求項１に記載の液晶テレビジョン装置において、
前記信号処理部は、１個のＩＣから構成されており、このＩＣの中に、映像信号に対して再生処理を行うビデオデコーダと、前記液晶セルに映像を表示するタイミングを制御するタイミングコントローラとが、前記色補正回路とともに組み込まれていることを特徴とする液晶テレビジョン装置。
【請求項７】
受信した映像信号を再生するための信号処理部と、
前記信号処理部で再生された映像を表示する液晶セルと、
前記液晶セルの背面側に配設され、当該セルを照射するバックライト用光源と、
前記液晶セルと前記バックライト用光源との間に設けられ、前記光源から発する光を前方へ導く光学部材と、
前記液晶セルを駆動する第１の駆動回路と、
前記バックライト用光源を駆動する第２の駆動回路と、
を備えた液晶テレビジョン装置において、
前記液晶セルは、パーソナルコンピュータの液晶モニタに用いられる液晶セルの色純度と同程度の低色純度を有するセルから構成されており、
前記信号処理部は、前記液晶セルに表示される映像の色再現性を向上させるための色補正回路を備えていることを特徴とする液晶テレビジョン装置。
【発明の詳細な説明】
【技術分野】
【０００１】
本発明は液晶テレビジョン装置に関し、特に、液晶セルの透過率が高くかつ色再現性にも優れた液晶テレビジョン装置に関するものである。
【背景技術】
【０００２】
近年、ディスプレイとしてＬＣＤ（Liquid Crystal Display）を用いた液晶テレビジョン装置が普及しつつある。液晶テレビジョン装置は、従来のＣＲＴ（Cathode Ray Tube）を用いたテレビジョン装置に比べて、薄型、軽量で、消費電力も少ないという利点を備えている。また、液晶テレビジョン装置は、一般にバックライト用光源を内蔵しており、光源から発する光を拡散板やプリズムシート等を介して前方の液晶セルへ照射し、セルに備わっているカラーフィルタを通すことによって、液晶セルの画面にカラー映像が表示されるようになっている。
【０００３】
図５は、従来の液晶テレビジョン装置におけるディスプレイ・ユニットの分解斜視図を示している。１はリアフレームであって、金属板から形成されている。このリアフレーム１の裏側には、信号処理用のＩＣなどが実装された配線基板（図示省略）が取り付けられている。２はリアフレーム１に載置される反射シートであって、白色の合成樹脂板から形成されている。この反射シート２は、後述するバックライト用光源５３〜５５の光を反射させる働きをする。３は反射フレームであって、金属または合成樹脂の枠体から構成されており、その内面はバックライトの光を反射するよう白色にコーティングされている。４はゴム製のスペーサであって、反射フレーム３の上縁と、後述する液晶セル１２との間に介在して、緩衝材としての役割を果たす。５３〜５５はバックライト用光源を構成する３個の冷陰極管であって、それぞれはＵ形に形成されている。６３〜６５は冷陰極管５３〜５５を保持するためのホルダであって、シリコンゴムのような弾性部材から構成され、冷陰極管５３〜５５が嵌め込まれるスリット６３ａ〜６５ａを備えている。７は冷陰極管５３〜５５の端部が差し込まれるソケットであって、このソケット７を介して、冷陰極管５３〜５５と外部の回路とが電気的に接続される。
【０００４】
８〜１１は冷陰極管５３〜５５から発する光を前方（図では上方）へ導くための光学部材であって、光を拡散させる拡散板８および拡散シート９と、拡散した光を集光して前方へ向わせるプリズムシート１０と、プリズムシート１０で集光された光のうち、特定方向の光のみを通過させ、それ以外の光を反射する偏光反射シート１１とから構成される。１２は液晶セルであって、１対のガラス基板と、このガラス基板の間に設けられる液晶、透明電極、カラーフィルタ等とを備えた公知の構造を有している。液晶セルの詳細構造については、例えば下記の特許文献１、特許文献２に開示されている。また、カラーフィルタに関しては、下記の特許文献３に開示されている。１３は金属からなるフロントフレームであって、液晶セル１２の表示画面となる部分を残してセル１２の縁部を覆うことができるように、額縁状に形成されている。１４はセル１２の表面の縁部に貼付されるマスキングテープであって、冷陰極管５３〜５５からの光が周辺から漏れるのを防ぐものである。
【特許文献１】特開２００２−３２３６９８号公報
【特許文献２】特開２００３−５１７５号公報
【特許文献３】特開平１１−２４８９３１号公報
【発明の開示】
【発明が解決しようとする課題】
【０００５】
カラー映像を表示する液晶テレビジョン装置は、色再現性の良いことが要求される。このためには、液晶セルが一定以上の色純度を有していることが必要である。色純度は、液晶セルにおけるカラーフィルタの着色顔料の膜厚や材料等により決まり、例えば顔料の膜厚を厚くすると色濃度が大きくなって、色純度は高くなる。しかしながら、色純度を高くすると色再現性は向上するが、その反面、着色顔料の膜厚の増加により、液晶セルを光が通りにくくなって透過率が低下し、画面が暗くなるという問題がある。
【０００６】
図４は、色純度と透過率との関係を示したグラフである。ここでは、１５インチの液晶テレビジョン装置に用いられる通常のＴＮ（Twisted Nematic）タイプのＶＧＡ（Video Graphics Array）液晶セルと、ＸＧＡ（Extended Graphics Array）液晶セルの２つについて、色純度に対する透過率の変化が示されている。よく知られているように、ＶＧＡ液晶セルの画素数は６４０×４８０、ＸＧＡ液晶セルは画素数は１０２４×７６８である。なお、横軸のＹ１は実際には４０％〜６０％、Ｙ２は５０％〜７０％、Ｙ３は６０％〜８０％の範囲の値となる。
【０００７】
一般に液晶テレビジョン装置では、色純度が７２％以上であることが要求される。色純度を７２％としたときの液晶セルの透過率は、ＶＧＡ液晶セルの場合で８％未満、ＸＧＡ液晶セルの場合で６％程度まで低下する。また、視野角を拡大した液晶セルの場合は、透過率がさらに低下する。一方、液晶テレビジョン装置の画面上の輝度としては、通常４５０ｃｄ（カンデラ）が要求される。したがって、ＶＧＡ液晶セルの透過率を７．５％と仮定した場合、上記輝度を得るためには、バックライト用光源の輝度として、４５０／０．０７５＝６０００ｃｄが必要となる。また、ＸＧＡ液晶セルの透過率を６．０％と仮定した場合、上記輝度を得るためには、バックライト用光源の輝度として、４５０／０．０６０＝７５００ｃｄが必要となる。
【０００８】
この輝度を確保するために、従来の液晶テレビジョン装置においては、図５で説明したように、Ｕ形の冷陰極管５３〜５５を３個設けている。このため、冷陰極管５３〜５５を駆動するためのインバータ回路も３個必要となる。したがって、消費電力が増大するとともに、部品数が多くなってコストが増大する。また、輝度を高めるためにプリズムシート１０や偏光反射シート１１を設けているが、特に偏光反射シート１１は高価なため、コストアップを一層助長している。
【０００９】
以上のように、従来にあっては、液晶セルの色純度を高くすることで透過率が低下するため、画面の輝度が低下するのをバックライト用光源や光学部材を増やすことで回避していたが、このことが、液晶テレビジョン装置のコストダウンを図る上で大きな障害となっていた。
【００１０】
このように透過率を犠牲にしてでも色純度の向上を志向するのは、以下のような事情が存在することによる。すなわち、今日では、液晶テレビジョン装置用の液晶ディスプレイは、一般にモジュールとして完成品の形で供給されるのが普通となっている。したがって、液晶ディスプレイの市場での評価を獲得するために、液晶ディスプレイのメーカーは必然的に、透過率が多少犠牲になっても、色純度を高めて色再現性を向上させるような製品開発に注力する。一方、液晶テレビジョン装置のメーカーは、完成品としての液晶ディスプレイを市場から調達して、これをテレビジョン装置に組み込むだけであるから、液晶ディスプレイそのものの特性を自らがコントロールすることは出来ない。すなわち、液晶テレビジョン装置それ自体の色純度は、市場に供給された液晶ディスプレイの特性により拘束されるのであり、それゆえに透過率もまた同様の拘束を受けるのである。
【００１１】
勿論、液晶ディスプレイの中には、例えばノートブック型パーソナルコンピュータのモニタに用いられるような色純度の低いものもある。このような液晶ディスプレイでは、液晶セルの透過率がそれほど低下しないから、上述したような問題は回避できるかも知れない。しかしながら、この場合は色純度の低下により色再現性が犠牲となり、きれいな画像が得られないという致命的な欠点がある。もっとも、パーソナルコンピュータのモニタの場合は、通常それほど高い色再現性は要求されないから、実用上は色純度の低い液晶セルを用いても問題がなかった。ところが、液晶テレビジョン装置の場合は、色再現性が厳しく要求されることから、透過率の向上だけを目的として、色純度の低い液晶ディスプレイを採用することはもとより不可能であり、そのようなことを考える者は誰もいなかった。
【００１２】
前記の特許文献１および特許文献２には、半透過型の液晶ディスプレイにおいて、透過モードでの透過率を向上させるとともに、色再現性も改善するための技術が開示されている。これらの文献においては、ガラス基板上に凸部を多数配列した凸状配列群を形成し、その上に光通過孔を有する半透過膜を被覆し、さらにカラーフィルタ、オーバーコート層、透明電極を形成し、また、ガラス基板上に透明電極と、配向膜とを順次形成している。そして、半透過膜の光通過孔を形成した部位に対応する凸状配列群の樹脂部分を切欠いて切欠部を設けている。しかしながら、凸状配列群に切欠部を設けるだけでは、透過率の向上には限界があり、バックライト方式の液晶ディスプレイにおいて、光源や光学部材を削減して大幅なコストダウン効果を得るのは難しい。また、これらの特許文献に記載された技術によれば、液晶セルの製造過程において、ガラス基板上に複雑な加工を施す必要がある。
【００１３】
また、特許文献３には、高い光透過率と良好な色再現性を持つ色純度の高い赤色顔料を用いたカラーフィルタが開示されている。本文献のカラーフィルタでは、赤色画素に含まれる赤色顔料の透過曲線が、４００ｎｍ〜７００ｎｍの可視光波長領域において、４２０〜４５０ｎｍの波長領域で５０％以上の透過率、６００〜６５０ｎｍの波長領域で９０％以上の透過率を示し、さらに透過率が最も低い波長λmax が４６０ｎｍ〜５７０ｎｍの波長領域にあり、かつλmax における透過率が３５％以下に選定されている。しかしながら、ここに示されているカラーフィルタは、バックライトを有しない反射型の液晶ディスプレイに用いられるものであるから、本文献は、バックライト方式の液晶テレビジョン装置における前述の技術的課題に対して解決手段を与えるものではない。
【００１４】
本発明者は、バックライト方式の液晶テレビジョン装置において液晶セルの透過率を上げ、それでいて色再現性が損なわれないようにするにはどうすればよいかを様々な視点から模索した。その結果、高色純度を追求する液晶テレビジョン装置の業界にあって、これまでの常識では考えられなかった、色純度をあえて低下させるという着想に至った。そして、色純度を下げて透過率を上げることで、バックライト用光源や光学部材の数を減らすとともに、色純度の低下により犠牲を余儀なくされる色再現性については、電気的に色補正処理を施すことで、高色純度の液晶セルを用いた場合と同等の色再現性を確保できることに着目した。特に、液晶テレビジョン装置のメーカーが液晶ディスプレイを自前で製造する場合は、液晶セルの色純度を自在にコントロールすることが可能であり、低色純度の液晶セルを採用することに何ら制限はない。そこで発明者は、このような場合に、テレビジョン装置側の回路において既存の色変換技術を用いて色補正を行えば、液晶セルの透過率を高く維持したままで優れた色再現性が得られることを見い出し、本発明を完成するに至った。
【００１５】
本発明の目的は、液晶セルの透過率が高く、なおかつ色再現性にも優れた液晶テレビジョン装置を提供することにある。本発明の他の目的は、そのような液晶テレビジョン装置を低コストで実現することにある。
【課題を解決するための手段】
【００１６】
本発明に係る液晶テレビジョン装置は、受信した映像信号を再生するための信号処理部と、この信号処理部で再生された映像を表示する液晶セルと、この液晶セルの背面側に配設され、当該セルを照射するバックライト用光源と、液晶セルとバックライト用光源との間に設けられ、光源から発する光を前方へ導く光学部材と、液晶セルを駆動する第１の駆動回路と、バックライト用光源を駆動する第２の駆動回路とを備えた液晶テレビジョン装置であって、液晶セルが、パーソナルコンピュータの液晶モニタに用いられる液晶セルの色純度と同程度の低色純度を有するセルから構成されており、また、信号処理部が、液晶セルに表示される映像の色再現性を向上させるための色補正回路を備えている。
【００１７】
より具体的には、本発明においては、液晶セルとして４０％〜６０％の範囲の色純度を有するセルが用いられる。色純度が６０％を越えると、前述のように、透過率が低くなって画面の低輝度が問題となる。一方、色純度が４０％を下回ると、画面の高輝度は確保できるものの、色補正が困難となって色再現性が悪くなり、実用上問題が生じる。好ましくは、色純度が４５％〜５５％の液晶セルを用いるのがよい。
【００１８】
本発明の実施形態によれば、液晶セルとしてＶＧＡ（Video Graphics Array）液晶セルを用いた場合、透過率は少なくとも１０％であり、また、液晶セルとしてＸＧＡ（Extended Graphics Array）液晶セルを用いた場合、透過率は少なくとも７％であって、いずれも従来に比べて透過率が向上する。
【００１９】
本発明の実施形態によれば、バックライト用光源がＵ形の１対の冷陰極管から構成される。これにより、従来例えば３個必要であった光源を２個に低減することができる。また、Ｕ形の冷陰極管を用いることにより、直線形の冷陰極管を用いる場合に比べて、本数が半分で済む。このため、冷陰極管を駆動するインバータなどの回路を少なくすることができる。
【００２０】
本発明の実施形態によれば、光学部材が、液晶セル側に設けられる拡散シートと、バックライト用光源側に設けられる拡散板との２つの部材のみから構成される。本発明では、液晶セルの透過率がアップすることにより、従来のプリズムシートや偏光反射シートが不要となり、特に高価な偏光反射シートを省略できることで、コストの大幅な低減が可能となる。
【００２１】
本発明の実施形態によれば、信号処理部が１個のＩＣから構成されており、このＩＣの中に、映像信号に対して再生処理を行うビデオデコーダと、液晶セルに映像を表示するタイミングを制御するタイミングコントローラとが、色補正回路とともに組み込まれている。これらの回路が１チップのＩＣに内蔵されることで、配線基板上の素子数が少なくなり、基板をコンパクトに構成して、液晶テレビジョン装置への組み付けを容易にすることができる。
【発明の効果】
【００２２】
本発明によれば、高輝度で色再現性にも優れた液晶テレビジョン装置を低コストで提供することができる。
【発明を実施するための最良の形態】
【００２３】
図１は、本発明の実施形態に係る液晶テレビジョン装置におけるディスプレイ・ユニットの分解斜視図を示している。図２は、本発明の実施形態に係る液晶テレビジョン装置の正面図を示している。
【００２４】
図１において、図５と同一部品には同一の符号を付してある。１はリアフレームであって、金属板から形成されている。このリアフレーム１の裏側には、後述する信号処理用のＩＣなどが実装された配線基板（図示省略）が取り付けられている。２はリアフレーム１に載置される反射シートであって、白色の合成樹脂板から形成されている。この反射シート２は、後述するバックライト用光源５１、５２の光を反射させる働きをする。３は反射フレームであって、金属または合成樹脂の枠体から構成されており、その内面はバックライトの光を反射するよう白色にコーティングされている。４はゴム製のスペーサであって、反射フレーム３の上縁と、後述する液晶セル１２との間に介在して、緩衝材としての役割を果たす。５１、５２はバックライト用光源を構成する１対の冷陰極管であって、それぞれはＵ形に形成されている。６１、６２は冷陰極管５１、５２を保持するためのホルダであって、シリコンゴムのような弾性部材から構成され、冷陰極管５１、５２が嵌め込まれるスリット６１ａ、６２ａを備えている。７は冷陰極管５１、５２の端部が差し込まれるソケットであって、このソケット７を介して、冷陰極管５１、５２と外部の回路とが電気的に接続される。以上の構成において、図５と相違する点は、冷陰極管５１、５２の数が３個から２個に減っており、これに応じて、ホルダ６１、６２やソケット７の数も減っている点である。
【００２５】
８、９は冷陰極管５１、５２から発する光を前方（図では上方）へ導くための光学部材であって、光を拡散させる拡散板８および拡散シート９から構成される。１２は液晶セルであって、１対のガラス基板と、このガラス基板の間に設けられる液晶、透明電極、カラーフィルタ等とを備えた公知の構造を有している。液晶セルの詳細構造については、前記の特許文献１、特許文献２に開示されている。また、カラーフィルタに関しては、前記の特許文献３に開示されている。１３は金属からなるフロントフレームであって、液晶セル１２の表示画面となる部分を残してセル１２の縁部を覆うことができるように、額縁状に形成されている。１４はセル１２の表面の縁部に貼付されるマスキングテープであって、冷陰極管５１、５２からの光が周辺から漏れるのを防ぐものである。以上の構成において、図５と相違する点は、光学部材が拡散板８と拡散シート９の２部材のみからなり、図５におけるプリズムシート１０や偏光反射シート１１が省略されている点である。
【００２６】
図１のディスプレイ・ユニットは、図２に示される液晶テレビジョン装置１００に組み込まれる。図２において、１０１は液晶セル１２の表示画面、１０２はフロントパネル、１０３はフロントパネル１０２の左右に内蔵されている１対のスピーカ、１０４は液晶テレビジョン装置１００の本体を支持するスタンドである。図１のディスプレイ・ユニットは、フロントパネル１０２の裏側に取り付けられている。液晶テレビジョン装置１００は、図示しないリモートコントローラを操作することにより、表示画面１０１に映像を表示するとともに、スピーカ１０３から音声を出力する。
【００２７】
図３は、液晶テレビジョン装置１００の電気ブロック図を示している。２１は放送電波を受信するアンテナ、２２はアンテナ２１が受信した電波の中から選局されたチャンネルの信号を取り出すチューナである。チューナ２２で取り出された映像信号は、信号処理部２６に与えられる。信号処理部２６は、１個のＩＣから構成されており、その中に、映像信号に対して再生処理を行うビデオデコーダ２３と、再生された映像信号に対して色補正の処理を行う色補正回路２４と、液晶セル１２に映像を表示するタイミングを制御するタイミングコントローラ２５とが備わっている。これらの回路２３〜２５としては、公知の回路がそのまま用いられる。具体的な回路構成は当業者に良く知られており、本発明の特徴部分でもないので、ここでは詳細な図示は省略する。信号処理部２６を構成するＩＣは、前述のように、図１におけるリアフレーム１の裏側に取り付けられている図示しない配線基板に実装されている。
【００２８】
液晶セル１２には、ソースドライバ３１〜３５と、ゲートドライバ３６、３７とが付設されている。ソースドライバ３１〜３５は、液晶セル１２のＸ方向（横方向）の画素（Ｒ、Ｇ、Ｂ）を駆動するための回路であり、ゲートドライバ３６、３７は、液晶セル１２のＹ方向（縦方向）の画素を駆動するための回路である。これらの各ドライバは、それぞれ１個のＩＣから構成されており、タイミングコントローラ２５からの制御信号が与えられるようになっている。実際には、ソースドライバ３１〜３５を構成するＩＣには、図示しない中継用配線基板を介して制御信号が与えられる。また、ゲートドライバ３６、３７を構成するＩＣは、液晶セル１２のガラス基板に設けられており、タイミングコントローラ２５の制御信号を伝達するための配線がガラス基板上に施されている。ソースドライバ３１〜３５およびゲートドライバ３６、３７は、本発明における第１の駆動回路を構成する。
【００２９】
２７は電源回路であって、電源プラグ２８を介して得られるＡＣ１００Ｖの電圧に基づいて、各部へ必要な電圧を供給する。２９はインバータであって、バックライト部５０を構成する冷陰極管５１、５２を駆動するための電圧を供給する。これらの電源回路２７およびインバータ２９もまた、公知の回路から構成される。インバータ２９は、本発明における第２の駆動回路を構成する。なお、電源回路２７とインバータ２９は、チューナ２２とともに破線で示した共通の配線基板３０に実装されている。この配線基板３０は、信号処理部２６を実装した配線基板とは別に設けられる。
【００３０】
なお、図３においては、液晶テレビジョン装置１００を構成するブロックのうち、本発明に関連するブロックのみを図示してあり、それ以外のブロック（例えば音声処理部）については図示を省略してある。また、制御部を構成するマイクロコンピュータやメモリなどについても、図示を省略してある。
【００３１】
上述した液晶テレビジョン装置１００において、本実施形態では、液晶セル１２として、色純度が４０％〜６０％のセルを用いている。液晶セル１２がＴＮ（Twisted Nematic）タイプのＶＧＡ液晶セルの場合は、図４から分かるように、色純度が４０％〜６０％（Ｙ１）であれば、透過率は約１０％となる。液晶セル１２がＸＧＡ液晶セルの場合は、色純度が４０％〜６０％（Ｙ１）であれば、透過率は約７．２％となる。
【００３２】
これを色純度が７２％である従来のセルと比較すると、従来のＶＧＡ液晶セルでは、前述のとおり、透過率を７．５％と仮定したときのバックライト用光源に要求される輝度は、４５０／０．０７５＝６０００ｃｄであったが、本実施形態のＶＧＡ液晶セルでは、透過率を１０％とすると、バックライト用光源に要求される輝度は、４５０／０．１０＝４５００ｃｄでよいことになる。また、従来のＸＧＡ液晶セルでは、前述のとおり、透過率を６．０％と仮定したときのバックライト用光源に要求される輝度は、４５０／０．０６０＝７５００ｃｄであったが、本実施形態のＸＧＡ液晶セルでは、透過率を７．２％とすると、バックライト用光源に要求される輝度は、４５０／０．０７２＝６２５０ｃｄでよいことになる。
【００３３】
このため、本実施形態の液晶テレビジョン装置１００では、図１に示されるように、バックライト用光源として２個の冷陰極管５１、５２を設けるだけで十分である。また、２個の冷陰極管５１、５２により液晶セル１２の画面上で十分な輝度が確保できることから、図５に示されるプリズムシート１０や偏光反射シート１１は不要となる。この結果、必要とされる部品の数を低減して、コストダウンを図ることができる。
【００３４】
色純度を従来の７２％から４０％〜６０％へ下げるには、液晶セル１２におけるカラーフィルタの着色顔料の膜厚を薄くすればよい。膜厚を薄くすることで、バックライトの光が通り易くなり、透過率が向上する。しかしながら、膜厚を薄くすると色の濃度が低下し、色相が変化して色の再現性が悪くなる。このため、本実施形態の液晶テレビジョン装置１００では、図３で説明したように、信号処理回路２６に色補正回路２４を組み込み、この色補正回路２４で色補正を行うことにより、色再現性が低下するのを防止している。色補正回路２４は、それぞれの色を独立して自在にコントロールできる機能を備えている。このような機能を実現する色補正の技術は、例えば特許第３３５４１５８号公報、特許第３３４４０１６号公報に記載されている。したがって、映像信号に対して上記のような色補正処理を行うことによって、低色純度の液晶セル１２を用いた場合であっても、液晶セル１２に表示される映像は所望の色相、彩度、明度を備えたものとなり、良好な色再現性が担保される。
【００３５】
本発明では、液晶セル１２の色純度は、パーソナルコンピュータの液晶モニタに用いられる液晶セルの色純度と同程度であればよく、具体的には、４０％〜６０％の範囲の値をとることが可能である。色純度が６０％を越えると、透過率が低くなって画面の輝度低下が顕著になるため、バックライトを強化する必要が生じる。一方、色純度が４０％を下回ると、画面は更に高輝度を維持することができるが、色補正回路２４による色補正が事実上困難となり、色再現性が著しく低下するため、実用上問題が生じる。したがって、実際には、液晶セル１２の色純度を４５％〜５５％の範囲とするのが好ましい。
【００３６】
本発明では、以上述べた実施形態以外にも、種々の実施形態を採用することができる。例えば、上記実施形態では、液晶セルとしてＴＮ（Twisted Nematic）タイプのセルを用いた場合を例に挙げたが、本発明に用いる液晶セルは、ＳＴＮ（Super Twisted Nematic）など他のタイプのセルであってもよい。
【００３７】
また、上記実施形態では、バックライト用光源として、Ｕ形の冷陰極管を用いた例を挙げたが、冷陰極管は例えばＳ形に形成されたものを用いてもよい。さらに、光源は冷陰極管に限らず、例えば、白色発光ダイオードのような光源を用いることも可能である。
【図面の簡単な説明】
【００３８】
【図１】本発明の実施形態に係る液晶テレビジョン装置におけるディスプレイ・ユニットの分解斜視図である。
【図２】本発明の実施形態に係る液晶テレビジョン装置の正面図である。
【図３】本発明の実施形態に係る液晶テレビジョン装置の電気ブロック図である。
【図４】色純度と透過率との関係を示したグラフである。
【図５】従来の液晶テレビジョン装置におけるディスプレイ・ユニットの分解斜視図である。
【符号の説明】
【００３９】
５１、５２  冷陰極管（バックライト用光源）
８    拡散板
９    拡散シート
１２  液晶セル
２３  ビデオデコーダ
２４  色補正回路
２５  タイミングコントローラ
２６  信号処理部
２９  インバータ（第２の駆動回路）
３１〜３５  ソースドライバ（第１の駆動回路）
３６、３７  ゲートドライバ（第１の駆動回路）
１００  液晶テレビジョン装置
【図１】
2005333611.tif 000003
【図２】
2005333611.tif 000004
【図３】
2005333611.tif 000005
【図４】
2005333611.tif 000006
【図５】
2005333611.tif 000007